(57)【要約】    【課題】  デザイン性を向上させることが可能であって、機能性、安全性に優れ、安定した燃焼を継続させることができるオイル収納容器、フロート体及びこれらを備えたオイルフロートセットを提供する。    【解決手段】  側面に開口部２が形成され、当該開口部下端域にオイルが収容される収容領域を有する上部が開放された中空状のオイル収納容器に、フロート体１０を浮遊させる。フロート体は、燃焼芯１１が挿着され、燃料芯１１の周囲に設けられた複数の凹凸形状によってオイル収納容器１内に浮遊する。【選択図】          図１
2008257869.tif 000002
【特許請求の範囲】
【請求項１】
上部が開放された中空状のオイル収納容器であって、
側面に開口部が形成され、当該開口部下端域にオイルが収容される収容領域を有することを特徴とするオイル収納容器。
【請求項２】
前記収容領域周面には、上部に向かう突起部が設けられており、当該収容領域が分割されていることを特徴とする請求項１記載のオイル収納容器。
【請求項３】
前記上部の外周面側に凸部を、前記上部の内周面側に凹部を、形成したことを特徴とする請求項１又は２記載のオイル収納容器。
【請求項４】
外周面及び／又は内周面が湾曲状であることを特徴とする請求項１から３のいずれか記載のオイル収納容器。
【請求項５】
燃焼芯を挿着する挿着孔と、前記挿着孔の周囲に設けられた複数の突起部と、を表面に有する一方、
前記突起部を形成する凹部が裏面に設けられたフロート体。
【請求項６】
前記表面と前記裏面とを区画する基準面が、凹凸状に形成されていることを特徴とする請求項５記載のフロート体。
【請求項７】
請求項５又は６記載のフロート体を複数個一体形成したフロート体。
【請求項８】
請求項１から４のいずれか記載のオイル収納容器と、請求項５から７のいずれか記載のフロート体と、を備えたオイルフロートセット。
【発明の詳細な説明】
【技術分野】
【０００１】
本発明は、液体燃料を燃焼して加熱・保温等を行うオイル収納容器、フロート体、及び、これらを備えたオイルフロートセットに関する。また、本発明は、液体燃料を燃焼して発生する炎を利用した灯りとして、インテリア感覚で使用することができるオイル収納容器、フロート体、及び、これらを備えたオイルフロートセットに関する。
【背景技術】
【０００２】
従来より、ろうそくや固形燃料、液体燃料等を用いて炎を発生させる方法は、飲食店等の灯りや装飾として、又は卓上で簡易な調理、加熱を行う方法として、広く利用されている。
【０００３】
これらの燃料については、安定した炎を得る目的や、燃焼時間を長くする目的で、様々な形状や組成物からなるものが発明され、開示されている（例えば特許文献１、特許文献2参照）。
【０００４】
また、液体燃料において、特に植物油を利用することは、環境社会を考える上でも重要視されつつあり、資源エネルギー庁においてはメチルエステル化して引火点を低くしたバイオディーゼル燃料の研究を既に開始しており、この燃料の導入によって、温暖化対策に効果的であることが研究されている。さらに、ほとんどの一般家庭にあるサラダオイル等の植物油を燃料材料として利用することは、その普及のし易さの観点からしても、社会的貢献の大きさを期待させるものとされている。
【０００５】
【特許文献１】登録実用新案第３０９３４６３号公報
【特許文献２】特開２００３−２１３２９３号参照
【発明の開示】
【発明が解決しようとする課題】
【０００６】
しかしながら、前記のろうそくや固形燃料、液体燃料等には、以下のような問題があった。すなわち、ろうそくや固形燃料については、固形であるために、収納容器の形状によっては、使用できないことがあった。そのため、求められる機能やデザインを実現するためには、専用のろうそくや固形燃料が必要となり、費用が高額になってしまうという問題があった。
【０００７】
また、液体燃料については、主に引火点の低いアルコールや灯油が用いられるため、収納容器の形状に制限があった。特に、揮発性の高いメチルアルコールやエチルアルコールを利用するアルコールランプ等は、気化した燃料への引火を防ぐため、密閉性のある容器に保管しなければならないなど、収納容器の形状や液体燃料の取り扱いに注意を要するという問題があった。
【０００８】
さらに、固形燃料や液体燃料において、芯の形状や燃料の組成、酸素濃度、温度など、燃焼のための条件が整えられていない環境下にあっては、煤や一酸化炭素等が発生し、安定した燃焼を継続することは困難であった。
【０００９】
本発明は、このような問題を解決するためになされたものであり、デザイン性を向上させることが可能であって、機能性、安全性に優れ、安定した燃焼を継続させることができるオイル収納容器、フロート体、及び、これらを備えたオイルフロートセットを提供することを目的とする。
【課題を解決するための手段】
【００１０】
以上のような課題を解決するために、本発明は以下のものを提供する。
【００１１】
（１）  上部が開放された中空状のオイル収納容器であって、側面に開口部が形成され、当該開口部下端域にオイルが収容される収容領域を有することを特徴とするオイル収納容器。
【００１２】
本発明によれば、上部が開放された中空状のオイル収納容器であって、側面に開口部が形成され、当該開口部下端域にオイルが収容される収容領域を有することとしたから、煤や一酸化炭素を発生することなく、安定した燃焼を維持することができる。すなわち、オイル収納容器の側面に通気のための開口部を形成することによって、その開口部から十分な量の酸素が供給され、燃焼により消費される酸素を補充する。不完全燃焼が起こらないため、煤や一酸化炭素を発生することなく、安定した燃焼を維持することができる。
【００１３】
（２）  前記収容領域周面には、上部に向かう突起部が設けられており、当該収容領域が分割されていることを特徴とする（１）記載のオイル収納容器。
【００１４】
本発明によれば、前記収容領域周面には、上部に向かう突起部が設けられており、収容領域が分割されていることとしたから、分割された収容領域の各々に熱源を備えることによって、複数の熱源を同時に燃焼させて、加熱量を増大させることができる。
【００１５】
また、分割された収容領域の各々に異なるオイルを収容できるので、加熱量を異ならせることができる。
【００１６】
（３）  前記上部の外周面側に凸部を、前記上部の内周面側に凹部を、形成したことを特徴とする（１）又は（２）記載のオイル収納容器。
【００１７】
本発明によれば、前記上部の外周面側に凸部を、前記上部の内周面側に凹部を、形成して、凹凸状の上部を有することによって、その凹部に天板を設置することができる。オイル収納容器の上部に天板を設置することによって、天板の上に被加熱物の入った容器等を載せることができ、また、収納容器内の熱源（炎）に外部から燃焼性のある物質が接触するのを防ぐことができる。
【００１８】
（４）  外周面及び／又は内周面が湾曲状であることを特徴とする（１）から（３）のいずれか記載のオイル収納容器。
【００１９】
本発明によれば、前記オイル収納容器の外周面及び／又は内周面が湾曲状であることとしたから、効率よく空気を対流させることができ、安定した燃焼を維持することができる。
【００２０】
（５）  燃焼芯を挿着する挿着孔と、前記挿着孔の周囲に設けられた複数の突起部と、を表面に有する一方、前記突起部を形成する凹部が裏面に設けられたフロート体。
【００２１】
本発明によれば、燃焼芯を挿着する挿着孔と、前記挿着孔の周囲に設けられた複数の突起部と、を表面に有する一方、前記突起部を形成する凹部が裏面に設けられたフロート体によって、安定した燃焼を維持することができる。すなわち、フロート体の表面に設けられた突起部と、その裏面に設けられた凹部内の空気の浮力によってフロート体が液体燃料に安定して浮揚し、燃焼芯を挿着孔に挿着することによって燃焼芯が安定して保持され、フロート体表面の突起部の間から液体燃料が燃焼芯へ供給されることによって、安定した燃焼を維持することができる。
【００２２】
（６）  前記表面と前記裏面とを区画する基準面が、凹凸状に形成されていることを特徴とする（５）記載のフロート体。
【００２３】
本発明によれば、前記フロート体の表面と裏面とを区画する基準面が、凹凸状に形成されていることとしたから、液体燃料がその凹部から燃焼芯へとスムーズに流れ込むことによって、安定した燃焼を維持することができる。
【００２４】
（７）  （５）又は（６）のフロート体を複数個一体形成したフロート体。
【００２５】
本発明によれば、前記のフロート体を複数個一体形成して、複数の燃焼芯を備えるフロート体とすることにより、複数の燃焼芯へ供給された燃料を同時に燃焼させることができ、加熱量を増大させることができる。
【００２６】
（８）  （１）から（４）のいずれか記載のオイル収納容器と、（５）から（７）のいずれか記載のフロート体と、を備えたオイルフロートセット。
【００２７】
本発明によれば、（１）から（４）のいずれか記載のオイル収納容器と、（５）から（７）のいずれか記載のフロート体と、を備えたオイルフロートセットを用いることにより、煤や一酸化炭素を発生させることなく、安定した燃焼を維持することができる。
【発明の効果】
【００２８】
以上説明したように、本発明によれば、デザイン性を向上させることが可能であって、機能性、安全性に優れ、安定した燃焼を継続させることができるオイル収納容器、フロート体、及び、これらを備えたオイルフロートセットを提供することができる。
【発明を実施するための最良の形態】
【００２９】
以下、本発明の実施の形態を、図面を参照しながら説明する。
【００３０】
図１は、本発明の実施の形態に係るオイルフロートセットを示す斜視図であり、図２はその構成を示す断面図である。
【００３１】
図１及び図２に示すオイルフロートセットは、オイル収納容器１と、フロート体１０と、から構成されている。オイル収納容器１の上部は開放され、側面には開口部２が形成されている。オイル収納容器１に収納された液体燃料３の液面上には、燃焼芯１１が挿着されたフロート体１０が浮揚状態に支持されている。なお、図１及び図２においては、参考のため燃焼芯１１に引火した状態を示している。
【００３２】
液体燃料３としては、揮発性の低く、引火点の低いものを使用することができる。例えば、一般家庭に常備されるサラダオイル等の植物油を利用することもできる。また、エッセンシャルオイルも使用できる。
【００３３】
ここで、十分な酸素の供給を行える開口部２を備えるオイル収納容器１としては、少なくとも９ｃｍ２、好ましくは１２ｃｍ２以上の開口部２を複数設ける。また、開口部を設ける位置は、オイル収容容器１の上部開口面積が３０ｃｍ２以下の場合には、開口部２の下端位置は、オイル収容容器１の下面から４０ｍｍ程度に設けることが望ましい。すなわち、オイルが収容される収容領域の高さ方向として４０ｍｍが望ましく、この場合には、上部から収容領域面までが３０ｍｍ以上となることが望ましい。
【００３４】
また、開口部２から容易にオイルの継ぎ足しを行うことができる。この点、従来から存在するアルコールランプのような容器に穴がなく燃料の継ぎ足しをして燃焼を継続することができないものに比べ、本発明の実施形態に係るオイル収容容器１によれば、開口部２から容易にオイルを追加注入することができる。すなわち、開口部２を酸素の吸気口として機能させ、ときには液体燃料の供給口として機能させることができる。
【００３５】
［フロート体］
本発明の実施の形態に係るフロート体について、図３及び図４を参照しながら説明する。
【００３６】
図３（ａ）は、本発明の実施の形態に係るフロート体１０の例を示す平面図である。図３（ｂ）は、図３（ａ）を平面Ｘで切断したときの断面図であり、図３（ｃ）は、図３（ａ）を平面Ｙで切断したときの断面図である。図３（ｂ）及び（ｃ）は、いずれも液面に浮揚した状態を示す。
【００３７】
図３において、フロート体１０は、燃焼芯１１を挿着するための挿着孔１２を備え、挿着孔１２の周囲には、複数の突起部１３を有し、その更に外側には、突起部１３より低く凸起した凸部１５を有している。
【００３８】
突起部１３の裏面には凹部１４を有し、この凹部１４内の空気の浮力によってフロート体１０は安定的に浮揚する。液体燃料３は、凸部１５の間から流入し、突起部１３の間を通って、挿着孔１２に挿着された燃焼芯１１に継続的に供給される。燃焼芯１１への燃料供給は、燃焼芯１１をフロート１０を貫通させて配設し、下部から液体燃料３を吸い上げるように供給されるよりも、フロート１０の上面側で供給される方が安定する。さらに、フロート１０に、燃焼芯１１に向かう傾斜を設けることによって、より安定して液体燃料３が供給される。
【００３９】
図３（ｄ）から（ｆ）は、図３（ｂ）及び（ｃ）のＺ部分を拡大した図であり、図３（ｄ）は断面図、図３（ｅ）及び（ｆ）は上方外観図である。フロート体１０は、燃焼芯１１が挿着される挿着孔１２に向かって傾斜が設けられている（図３（ｄ））。傾斜は、図３（ｅ）のように１本又は複数の傾斜する溝を設けることとしてもよいし、図３（ｆ）のように漏斗状に傾斜を設けることとしてもよい。これらの傾斜によって、燃焼芯１１に液体燃料３が流れ込みやすくなり、より安定した燃焼を維持することができる。
【００４０】
燃焼芯１１は、直径３ｍｍ以下のものを用い、液体燃料液面から露出する部分の長さが３０ｍｍ以下になるように調整する。芯の太さと長さのバランスを調整することにより、不完全燃焼による煤や一酸化炭素の発生を防ぐことができる。
【００４１】
また、フロート体１０は、複数の燃焼芯１１を備える形状としてもよい。複数の燃焼芯１１によって同時に複数の燃焼を得ることができ、加熱量を増大させることができる。
【００４２】
図４は、複数の燃焼芯を備えるフロート体の例を示す平面図である。図４（ａ）は３芯型フロート体、図４（ｂ）は４芯型フロート体を示す。
【００４３】
図４において、３芯型フロート体１６は３本、４芯型フロート体１７は４本の燃焼芯１１を備えている。フロート体１６及び１７は、燃焼芯１１を挿着する挿着孔１２の周囲に、それぞれ複数の突起部１３を有し、その裏面には凹部１４を有している。隣り合う燃焼芯１１の間隔は、それぞれ２０ｍｍ以上とする。複数の燃焼芯を同一のフロート体に備える場合には、燃焼芯の間隔を２０ｍｍ以上とすることで、酸素の供給をスムーズに行うことができる。
【００４４】
なお、フロート体１０の形状は、上述した形態に限られるものではなく、液体燃料に浮揚して、燃料芯を安定して保持し、燃焼を維持することができるものであれば、素材や形状は問わない。例えば、図１０（ａ）から（ｄ）に示すような形状とすることができる。ここで、図１０（ａ）は略三角形状、図１０（ｂ）は縦長軸を有する楕円形状、図１０（ｃ）は略台形状、図１０（ｄ）は横長軸を有する楕円形状である。安定した燃焼を得るには、シンプルな形状で、液体燃料が燃焼芯へスムーズに流れ込む構造である方がよい。
【００４５】
［オイル収納容器］
本発明の実施の形態に係るオイル収納容器について、図５から図８を参照しながら説明する。
【００４６】
図５は、本発明の実施の形態に係るオイル収納容器１の例を示す側面図及び断面図である。
【００４７】
図５において、オイル収納容器１は、上部が開放された中空状であって、内周面及び外周面が湾曲した形状からなっており、側面には開口部２が形成されている。オイル収納容器１の上部の外周面側には凸部４が、上部の内周面側には凹部５が形成されており、この凹部には天板を設置することができる。
【００４８】
オイル収納容器１には、例えば金属や陶器等の素材を用いることができる。また、本発明の実施の形態により、炎の位置を正確に設定することができる場合には、ポリプロピレン製容器や耐熱ＰＥＴ製容器などの樹脂製容器とすることも可能である。すなわち、容器の壁から十分に離れた位置に炎を安定させることができれば、容器が受ける熱の影響を最小限にすることができるため、耐熱性の低い樹脂製の容器を用いることができる。また、液体燃料としてアルコールや灯油などを用いる場合には、樹脂が溶けたり膨潤したりする場合があるため、樹脂製容器を用いることはできないが、本発明の実施の形態によれば、液体燃料として植物油を用いることができ、樹脂を損傷することがないため、樹脂製容器とすることが可能となる。
【００４９】
開口部２は、安定した燃焼を維持し、煤の発生を防ぐために、十分な酸素を供給する通気孔として形成される。開口部２の位置や形状は、図５に示す形態に限るものではなく、オイル収納容器１の上端に接していなくてもよいし、円形や楕円形、矩形等、どのような形状であってもよいが、その大きさは、側面積に対する開口部2の面積の比率（開口比率）Ａ％を、所定の比率以上に設定することが望ましい。本実施例においては、約６０％を確保しているが、少なくとも３０％以上を確保することが望まれる。
【００５０】
なお、開口比率Ａ％は、以下の計算式（１）から（３）によって求められる。計算式（１）：Ｓｔ＝（２×π×ｒ）×Ｈ（ただし、Ｓｔ：液体燃料の最高液面Ｗから上のオイル収納容器１の側面面積（図５（ｃ）の斜線部分）、計算式（２）：Ｓｏ＝（開口部１箇所の面積）×開口部の数（ただし、Ｓｏ：側面の開口面積）、計算式（３）：Ａ＝Ｓｏ／Ｓｔ×１００
【００５１】
また、オイル収納容器１に、図１１に示すような傾斜を設けることによってより安定した燃焼が可能となる。開き幅Ｗｏは以下の計算式（４）：Ｗｏ＝Ｈ・ｔａｎθによって示される。オイル収納容器１の直径ＤｖがＨよりも小さい場合には、理想的にはθ＝３０°以上が望ましいが、少なくともθ＝１５°を確保することが望まれる。
【００５２】
さらに、開口部２を設けない場合には、オイル収納容器１の上部開口部分を大きく設け、十分な酸素が供給できるようにする必要がある。
【００５３】
次に、オイル収納容器に天板を設置して用いる方法を、図６を用いて説明する。
【００５４】
図６は、オイル収納容器１に天板を設置して用いる方法を説明するための説明図である。
【００５５】
図６（ａ）において、オイル収納容器１の上部凹部５には、天板２０が設置され、天板２０の上に、被加熱物の入った容器２１が載せられている。天板２０を設置することにより、オイル収納容器１の上に容器等を載せて加熱することができ、また、オイル収納容器１内の炎に外部から燃焼性のある物質が接触するのを防ぐことができる。
【００５６】
図６（ａ）に示す天板２０は、燃焼により発生する熱に耐えうるものであれば、その使用目的に合わせてどのような素材のものを用いても良い。例えば、金属、陶器、耐熱ガラスなどを素材とする天板を用いることができる。また、本発明の実施の形態により、炎の位置を正確に設定することができる場合には、樹脂製の天板を用いることも可能である。
【００５７】
図６（ｂ）〜（ｃ）には、天板２０の形状の例を示す。図６（ｂ）に示す天板２０ａは、開口部分の全くないプレート状の天板である。開口部分を設けないことにより、燃焼する炎が、天板上の容器２１に接触するのを防ぐことができる。ただし、オイル収納容器１の上部開口部を完全に塞ぐこととなるため、上部から燃焼後の排気を行い難くなり、酸素の供給がし難くなる。これに対応するためにも、オイル収納容器１の側面に十分な大きさの開口部を設ける必要がある。
【００５８】
図６（ｃ）に示す天板２０ｂは、開口部分を多く設けることにより、天板への熱伝導による熱の損失を最小限に抑え、天板上の容器２１の加熱をより効果的に行うことができる。すなわち、炎から発する高温を天板で受けることなく、天板上の容器２１を直接加熱することとなるため、ポリプロピレンなどの樹脂製のオイル収納容器１や樹脂製の天板２０を用いても、上部に置かれた鍋などの調理用容器２１を加熱することが可能となる。ただし、炎と容器２１との間を遮るものがないため、炎の位置や大きさを正確に設定する必要がある。
【００５９】
図６（ｄ）に示す天板２０ｃは、天板の周囲にのみ開口部分を設けることにより、天板への熱伝導による熱の損失を抑えるとともに、炎からの直接の加熱を避けることができる。天板からの熱伝導によって天板上の容器２１を加熱するため、ポリプロピレン製容器や、耐熱ＰＥＴ製容器などの樹脂製容器を用いることが可能となる。
【００６０】
加熱に用いる容器２１は、通常加熱に用いられる金属製や陶器製の容器の他、上述した天板２０ａや天板２０ｃ等のように中央部に開口がない天板を用いれば、樹脂製の容器を利用することができる。
【００６１】
次に、複数のフロート体を用いる方法について、図７を参照しながら説明する。
【００６２】
図７は、複数のフロート体を用いるためのオイル収納容器を説明するための平面図及び断面図である。
【００６３】
図７において、オイル収納容器３０は、収容領域３１の周面に上部に向かう突起部３２が設けられ、収納領域３１が、図７（ａ）に示すように中央部がつながった状態で分割されており、その各々に、フロート体１０が備えられている。複数のフロート体１０によって、同時に複数の燃焼を得ることができ、加熱量を増大させることができる。
【００６４】
なお、オイル収納容器３０の形状は、上記の形態に限られるものではなく、複数のフロート体を備えることができる分割された収納領域が設けられ、酸素の供給を十分にできるものであれば、どのような形状であってもよい。
【００６５】
次に大量の液体燃料を用いる方法について、図８を参照しながら説明する。
【００６６】
図８は、フロートガイドを用いた大容量型のオイル収納容器を説明するための断面図及び平面図である。
【００６７】
図８（ａ）において、オイル収納容器４０は、上述したような標準のオイル収納容器よりも収納域の容積が大きく、大量の液体燃料３を収納することができる。収納域の深さを変えずに、上部開口を広げて容積を大きくすることによって、液体燃料３の大量消費に伴う液面の高さの変動を最小限に抑えることができる。
【００６８】
しかしながら、上述した大容量型オイル収納容器４０を用いる場合には、上部開口が広くなるために、フロート体１０の浮遊する範囲が広くなり、安定した燃焼が得られなくなってしまう。そこで、フロート体１０が位置変動を起こさないように、フロートガイド４１を設けることが必要となる。
【００６９】
すなわち、燃料芯を備えたオイルフロートは、浮遊するとその性質により、燃焼により発生する炎の位置が不安定となる性質がある。具体的には、対流による水平方向の位置変動や、オイルの減少に伴ってフロート浮遊液面の垂直方向の位置変動などが生じる結果、炎の位置が不安定となると、強加熱点の位置も不安定化する。このような炎の位置の不安定化は、煤が発生する原因となったり、不完全燃焼に至り、場合によっては炎が消えることがある。
【００７０】
そこで、フロートガイド４１によって水平方向の位置変動を規制することで、オイル収容容器４０の側面からの酸素供給を適切に行うことができる。
【００７１】
図８（ｂ）は３点支持型、図８（ｃ）は４点支持型のフロートガイドを設けたオイル収納容器４０を示す。オイル収納容器４０にフロートガイド４１を設置し、フロート体１０とフロートガイド４１との隙間を小さく（通常１０ｍｍ以下、３点支持型の場合は５ｍｍ以下）設定することによって、フロート体１０の水平方向への位置変動を小さくすることができる。フロートガイド４１の数や形状は、図８に示すものに限られず、フロート体１０の位置変動を小さくすることができるものであればよい。また、図８（ｄ）に示すように、フロートガイド４１を高く設計することによって、天板を用いることなく上部に容器等を載せられるようにしてもよい。
【００７２】
フロートガイド４１は、フロート体１０が浮遊する範囲が広くなる場合に、使用するオイル収納容器４０に取り付けることとしてもよいし、大容量型オイル収納容器４０を作製する段階で組み込むこととしてもよい。
【００７３】
［使用方法］
本発明の実施の形態に係るオイルフロートセットの使用方法について、図９を参照しながら説明する。
【００７４】
図９は本発明の実施の形態に係るオイルフロートセットの使用方法を説明するための説明図である。図９（ａ）は燃焼開始直後、図９（ｂ）は燃焼が進み、液体燃料３の大部分が消費されている状態を示す。
【００７５】
図９において、本発明の実施の形態に係るオイルフロートセットを使用するには、まず、オイル収納容器１に液体燃料３を注入し、その液面に、燃焼芯１１が挿着されたフロート体１０を浮揚させる。このとき、液体燃料３を注入する前に、水６を注入しておくとよい。フロート体１０の裏面に、燃焼芯１１を挿着するための挿着孔による突起がある場合に、燃焼により液体燃料３が消費されて液面が低下すると、その突起によってフロート体１０が傾いてしまう。液体燃料３の下にフロート体１０が傾かない程度の深さに水6が収容されていれば、液体燃料３が消費されてもフロート体１０を安定して浮揚させておくことができ（図9（ｂ））、液体燃料３を安全に燃やし切ることができる。ここで、液体燃料３の下に収容する液体は、水６に限定するものではなく、液体燃料３と混じり合わず、液体燃料３よりも比重が重く、燃焼しない液体であれば用いることができる。
【００７６】
次に、燃焼芯１１に着火し、燃焼を開始する（図９（ａ））。燃焼が進むと、液体燃料３が消費されて液面が低下する（図９（ｂ））。ここで、燃焼を継続させたいときには、図５に示す開口部２より、液体燃料３を追加注入することができる。従来のアルコールランプ等では、液体燃料の収納容器は密閉されており、燃焼を維持しながら液体燃料を継ぎ足すことができなかったが、本発明の実施の形態に係るオイルフロートセットによれば、オイル収納容器１に設けられた広い開口部２から、容易に液体燃料３を供給することができ、燃焼を継続させることができる。
【００７７】
［液体燃料］
本発明の実施の形態に係るオイル収納容器、フロート体、及び、これらを備えたオイルフロートセットにおいては、液体燃料として、揮発性が低く、引火性の低いサラダオイル等の植物油を用いる。
【００７８】
アルコールランプに用いられるメチルアルコールやエチルアルコールの引火点は３２℃以下であるのに対し、サラダオイルをはじめとする植物油の引火点は２４０℃以上の高温である。そのため、誤って引火させてしまう危険性が極めて低く、安全に取り扱うことができる。
【００７９】
引火点の高い植物油等を燃料として利用するには、燃料をその引火点温度まで熱して引火・燃焼させる必要があるが、本発明の実施の形態に係るフロート体によれば、液体燃料を燃焼芯によって吸い上げることにより、燃料と酸素とがバランスよく供給され、引火・燃焼させることができる。また、燃焼を始めた後に、煤や一酸化炭素を発生せずに安定した燃焼を維持するためには、燃料を安定的に供給すると共に、十分な酸素を継続して供給する必要がある。本発明の実施の形態に係るオイルフロートセットによれば、フロート体によって燃料を安定的に供給することができ、開口部を備えたオイル収納容器によって継続して十分な酸素を供給することができるため、煤や一酸化炭素を発生することなく、安定した燃焼を維持することができる。
【００８０】
したがって、本発明の実施の形態に係るオイル収納容器、フロート体、及び、これらを備えたオイルフロートセットによれば、揮発性が低く、引火性の低いサラダオイル等の植物油を用いて、安全に、安定した燃焼を得ることができる。また、どの家庭にもある、サラダオイル等の植物油を用いるため、安価で、扱いやすく、安全である。さらに、液体状で安全性の高い植物油を用いることで、オイル収納容器の形状を自由に設計することができ、デザイン性の高いオイルフロートセット等を提供することができる。
【産業上の利用可能性】
【００８１】
本発明に係るオイル収納容器、フロート体、及び、これらを備えたオイルフロートセットは、デザイン性を向上させることが可能であって、機能性、安全性に優れ、安定した燃焼を継続させることができるオイル収納容器、フロート体、及び、これらを備えたオイルフロートセットを提供し得るものとして有用である。
【図面の簡単な説明】
【００８２】
【図１】本発明の実施の形態に係るオイルフロートセットを示す斜視図である。
【図２】本発明の実施の形態に係るオイルフロートセットの構成を示す断面図である。
【図３】本発明の実施の形態に係るフロート体の例を示す説明図である。
【図４】複数の燃焼芯を備えるフロート体の例を示す平面図である。
【図５】本発明の実施の形態に係るオイル収納容器の例を示す説明図である
【図６】オイル収納容器に天板を設置して用いる方法を説明するための説明図である。
【図７】複数のフロート体を用いるためのオイル収納容器を説明するための説明図である。
【図８】フロートガイドを用いた、大容量型のオイル収納容器を説明するための説明図である。
【図９】本発明の実施の形態に係るオイルフロートセットの使用方法を説明するための説明図である。
【図１０】フロート体の他の実施例を示す平面図である。
【図１１】オイル収納容器の形状を説明するための説明図である。
【符号の説明】
【００８３】
１  オイル収納容器
２  開口部
３  液体燃料
４  上部凸部
５  上部凹部
６  水
１０  フロート体
１１  燃焼芯
１２  挿着孔
１３  突起部
１４  凹部
１５  凸部
１６  ３芯型フロート体
１７  ４芯型フロート体
２０  天板
２０ａ・２０ｂ・２０ｃ  天板（形状例）
２１  被加熱物の入った容器
３０  オイル収納容器（複数型）
３１  収容領域
３２  突起部
４０  オイル収納容器（大容量型）
４１  フロートガイド
【図１】
2008257869.tif 000003
【図４】
2008257869.tif 000004
【図１０】
2008257869.tif 000005
【図１１】
2008257869.tif 000006
【図２】
2008257869.tif 000007
【図３】
2008257869.tif 000008
【図５】
2008257869.tif 000009
【図６】
2008257869.tif 000010
【図７】
2008257869.tif 000011
【図８】
2008257869.tif 000012
【図９】
2008257869.tif 000013